(57)【要約】【課題】箱形の器体内に、バーナを内蔵する燃焼筐と、燃焼筐内にバーナの燃焼用空気を供給する燃焼ファンとが配置された屋外設置型燃焼器であって、燃焼筐に連なる器体内の排気ダクト６の器体外面に対向する面に排気口６１が開設され、排気ダクトの排気口開設面に、排気口の外方への投影空間を囲い、器体外面から外方に突出する短筒状の排気カバー８が取付けられるものにおいて、排気カバーを覆う防風カバーを用いずに低コストで排気口からの風の逆流を抑制できるようにする。【解決手段】排気カバー８と排気ダクト６の排気口開設面との間に、排気口６１の一部に重なる開口部９１を有し、排気口６１の他の部分を閉塞する平板状の閉塞板９が着脱自在に介設される。【選択図】図４
2017172938.tif 000002
【特許請求の範囲】
【請求項１】
箱形の器体内に、バーナを内蔵する燃焼筐と、燃焼筐内にバーナの燃焼用空気を供給する燃焼ファンとが配置された屋外設置型燃焼器であって、燃焼筐に連なる器体内の排気ダクトの器体外板部に対向する面に排気口が開設され、排気ダクトの排気口開設面に、排気口の外方への投影空間を囲い、器体外板部から外方に突出する短筒状の排気カバーが取付けられるものにおいて、
排気ダクトの排気口開設面と排気カバーとの間に、排気口の一部に重なる開口部を有し、排気口の他の部分を閉塞する平板状の閉塞板が着脱自在に介設されることを特徴とする屋外設置型燃焼器。
【請求項２】
前記排気ダクトの排気口開設面と前記排気カバーとの間に前記閉塞板が介設される場合、各燃焼量に対応する前記燃焼ファンの回転数は、閉塞板が介設されない場合に比し高く設定されることを特徴とする請求項１記載の屋外設置型燃焼器。
【請求項３】
前記排気ダクトの排気口開設面と前記排気カバーとの間に前記閉塞板が介設される場合、最大燃焼量に対応する前記燃焼ファンの回転数が、ファンモータやファン駆動用電子基板の設計許容限界となる上限値に設定され、燃焼ファンの回転数が上限値であるときに、最大燃焼量で必要な風量になるように閉塞板の開口部の面積が設定されることを特徴とする請求項２記載の屋外設置型燃焼器。
【発明の詳細な説明】
【技術分野】
【０００１】
本発明は、箱形の器体内に、バーナを内蔵する燃焼筐と、燃焼筐内にバーナの燃焼用空気を供給する燃焼ファンとが配置された屋外設置型燃焼器に関する。
【背景技術】
【０００２】
従来、この種の屋外設置型燃焼器として、燃焼筐に連なる器体内の排気ダクトの器体外板部に対向する面に排気口が開設され、排気ダクトの排気口開設面に、排気口の外方への投影空間を囲い、器体外板部から外方に突出する短筒状の排気カバーが取付けられたものが知られている（例えば、特許文献１参照）。
【０００３】
ところで、屋外設置型燃焼器を高層階に設置する場合、低層階に設置する場合よりも風が強いため、排気口からの風の逆流による燃焼性の悪化を防止する必要がある。そこで、従来は、高層階に設置する燃焼器用として、排気カバーを覆って排気カバーの先端よりも外方にのびる筒状の防風カバーを用意し、この防風カバーを器体外板部に取り付けることで、排気口に風が入りにくくなるようにしている。
【０００４】
然し、このような筒状の防風カバーはコストが高くなる。また、器体外板部から防風カバーが大きく張出すため、器体外側に防風カバー用の設置スペースを比較的広く確保することが必要になる。
【先行技術文献】
【特許文献】
【０００５】
【特許文献１】特開２０１４−４０９５０号公報
【発明の概要】
【発明が解決しようとする課題】
【０００６】
本発明は、以上の点に鑑み、防風カバーを用いずに低コストで排気口からの風の逆流を抑制できるようにした屋外設置型燃焼器を提供することをその課題としている。
【課題を解決するための手段】
【０００７】
上記課題を解決するために、本発明は、箱形の器体内に、バーナを内蔵する燃焼筐と、燃焼筐内にバーナの燃焼用空気を供給する燃焼ファンとが配置された屋外設置型燃焼器であって、燃焼筐に連なる器体内の排気ダクトの器体外板部に対向する面に排気口が開設され、排気ダクトの排気口開設面に、排気口の外方への投影空間を囲い、器体外板部から外方に突出する短筒状の排気カバーが取付けられるものにおいて、排気カバーと排気ダクトの排気口開設面との間に、排気口の一部に重なる開口部を有し、排気口の他の部分を閉塞する平板状の閉塞板が着脱自在に介設されること特徴とする。
【０００８】
本発明によれば、閉塞板を設けることにより、排気口の実質的な開口面積を狭めて、排気口からの風の逆流を抑制できるようになる。また、閉塞板は平板状であって、従来の筒状の防風カバーに比しコストが安くなる。更に、閉塞板は、排気ダクトの排気口開設面と排気カバーとの間に介設されるもので、器体外側に閉塞板のための設置スペースを確保する必要がなく、設置が容易になる。
【０００９】
ところで、排気ダクトの排気口開設面と排気カバーとの間に閉塞板が介設される場合、排気口の実質的な開口面積が狭められて排気抵抗が増加するため、閉塞板が介設されない場合に比し、同じ量の空気を供給するのに必要な燃焼ファンの回転数が増加する。従って、排気ダクトの排気口開設面と排気カバーとの間に閉塞板が介設される場合、各燃焼量に対応する燃焼ファンの回転数は、閉塞板が介設されない場合に比し高く設定されることが望ましい。これにより、閉塞板を設けても、各燃焼量に対応する量の空気を供給できる。更に、ファン回転数を高くすることで、排気口での排気圧を高くして、耐風性を向上できる。
【００１０】
特に、排気ダクトの排気口開設面と排気カバーとの間に閉塞板が介設される場合、最大燃焼量に対応する燃焼ファンの回転数を、ファンモータやファン駆動用電子基板の設計許容限界となる上限値に設定すれば、耐風性を可及的に向上できる。尚、過度の空気が供給されて異常燃焼しないよう、燃焼ファンの回転数が上限値であるときに、最大燃焼量で必要な風量になるように閉塞板の開口部の面積を設定する必要がある。
【図面の簡単な説明】
【００１１】
【図１】本発明の実施形態の屋外設置型燃焼器を示す斜視図。
【図２】図１のＩＩ−ＩＩ線で切断した断面図。
【図３】実施形態の屋外設置型燃焼器の要部の拡大断面図。
【図４】実施形態の屋外設置型燃焼器の要部の分解状態の斜視図。
【発明を実施するための形態】
【００１２】
図１は、箱形の器体１内に、給湯用熱源部と暖房用熱源部とが収納された複合熱源機から成る屋外設置型燃焼器を示している。給湯用と暖房用の各熱源部は、図２に示す如く、複数のバーナ２を内蔵する燃焼筐３と、燃焼筐３内に燃焼用空気を供給する燃焼ファン４と、燃焼筐３内の上部に配置した主熱交換器５と、燃焼筐３に連なる排気ダクト６とを備えている。排気ダクト６は、燃焼筐３の上方に流出する燃焼排ガスを後方から前方に流すように構成されている。そして、排気ダクト６の内部には、燃焼排ガス中の潜熱を回収する副熱交換器７が配置されている。
【００１３】
図３、図４も参照して、器体１の外板部、即ち、前板部１１に対向する排気ダクト６の前面には排気口６１が開設され、更に、排気ダクト６内の前部に、燃焼排ガスを排気口６１に導く上下一対の排気ガイド６２，６３が設けられている。また、排気ダクト６の排気口開設面、即ち、前面には、排気口６１の外方、即ち、前方への投影空間を囲い、器体１の前板部１１上部に開設した窓部１２を通して前板部１１から前方に突出する短筒状の排気カバー８が取付けられている。尚、排気カバー８の基端にはフランジ部８１が設けられ、このフランジ部８１を排気ダクト６の前面にパッキン８２を挟んだ状態でビス止めすることにより、排気カバー８が排気ダクト６の前面に取付けられる。
【００１４】
更に、本実施形態では、排気ダクト６の前面と排気カバー８との間に、排気口６１の一部に重なる開口部９１を有し、排気口６１の他の部分を閉塞する平板状の閉塞板９が着脱自在に介設される。そして、高層階に燃焼器を設置する場合に、排気ダクト６の前面と排気カバー８との間に閉塞板９を介設する。尚、閉塞板９は、その周縁部前面に前記パッキン８２を重ねると共に周縁部後面に同様のパッキン９２を重ねた状態で、周縁部を排気カバー８のフランジ部８１と排気ダクト６の前面との間に挟み込み、この状態で排気ダクト６の前面に排気カバー８と一緒に共締めされる。
【００１５】
このように閉塞板９を設ければ、排気口６１の実質的な開口面積を狭めて、排気口６１からの風の逆流を抑制できるようになる。また、閉塞板９は平板状であって、上記従来例の如き筒状の防風カバーに比しコストが安くなる利点がある。更に、閉塞板９は、排気ダクト６の前面と排気カバー８との間に介設されるもので、器体１外側に閉塞板９のための設置スペースを確保する必要がなく、設置が容易になる。
【００１６】
また、排気ダクト６の前面と排気カバー８との間に閉塞板９を介設すると、排気口６１の実質的な開口面積が狭められて排気抵抗が増加するため、閉塞板９が介設されない場合に比し、同じ量の空気を供給するのに必要な燃焼ファン４の回転数が増加する。従って、排気ダクト６の前面と排気カバー８との間に閉塞板９が介設される場合、各燃焼量に対応する燃焼ファン４の回転数を、閉塞板９が介設されない場合に比し高く設定し、閉塞板９を設けても、各燃焼量に対応する量の空気を供給できるようにする。そして、このように燃焼ファン４の回転数を高くすれば、排気口６１での排気圧が高くなり、耐風性を向上できる。
【００１７】
特に、排気ダクト６の前面と排気カバー８との間に閉塞板９が介設される場合、最大燃焼量に対応する燃焼ファン４の回転数は、ファンモータやファン駆動用電子基板の設計許容限界となる上限値に設定することが望ましい。これによれば、排気口６１での圧力を可及的に高めて、耐風性を可及的に向上できる。尚、過度の空気が供給されて異常燃焼しないよう、閉塞板９の開口部９１の面積は、燃焼ファン４の回転数が上限値であるときに最大燃焼量で必要な風量になるように設定される。
【００１８】
以上、本発明の実施形態について図面を参照して説明したが、本発明はこれに限定されない。例えば、排気ダクト６の左右の側面や上面等に排気口６１を開設する燃焼器や、排気ダクト６内に副熱交換器７を配置しない燃焼器にも同様に本発明を適用できる。
【符号の説明】
【００１９】
１…器体、１１…前板部（外板部）、２…バーナ、３…燃焼筐、４…燃焼ファン、６…排気ダクト、６１…排気口、８…排気カバー、９…閉塞板、９１…開口部。
【図１】
2017172938.tif 000003
【図２】
2017172938.tif 000004
【図３】
2017172938.tif 000005
【図４】
2017172938.tif 000006